(57)【要約】【課題】簡単な構造で軒樋どうしを連結し、雨水が漏れること防ぐとともに、雨水が軒樋の前面部から垂れ落ちることのない軒樋の連結構造を提供する。【解決手段】軒樋２の前耳部２１、前面板２２の内側に突出する凸条２６１および後耳部２３を内継手１により係止して軒樋２を連結する構造であって、該内継手１は、上記軒樋２の前面板２２、底面板２４、後面板２５の内周面に弾接し上部を開放するとともに、上記前耳部２１を固定する前耳固定部１１、凸条２６１と係合する凸条係合部１２および後耳部２３を係止する後耳係止部１３が設けられている。【選択図】図３
2004316215.tif 000002
【特許請求の範囲】
【請求項１】
軒樋の前耳部、前面板の内側に突出する凸条および後耳部を内継手により係止して軒樋を連結する構造であって、該内継手は、上記軒樋の前面板、底面板、後面板の内周面に弾接し上部を開放するとともに、上記前耳部を固定する前耳固定部、凸条と係合する凸条係合部および後耳部を係止する後耳係止部が設けられたことを特徴とする軒樋の連結構造。
【請求項２】
上記軒樋の前面板の内側に突出する凸条が、この前面板の上部に張り出して設けられた水切り部の裏面である請求項１に記載の軒樋の連結構造。
【請求項３】
上記内継手の前耳固定部に突出片が連設された請求項１に記載の軒樋の連結構造。
【請求項４】
上記内継手が弾性を有する合成樹脂から構成された請求項１に記載の軒樋の連結構造。
【請求項５】
上記軒樋と内継手とが接着剤を介して、さらに接着された請求項１に記載の軒樋の連結構造。
【発明の詳細な説明】
【０００１】
【発明の属する技術分野】
本発明は、軒樋を連結する構造に関する。さらに詳しくは、軒樋どうしを突き合わせ、その接合部の内周面に接して内継手を嵌合し、連結する軒樋の連結構造に関する。
【０００２】
【従来の技術】
従来、上記軒樋の連結構造に関しては、種々の構造が提案されている（特許文献１、２、３参照。）。
【０００３】
【特許文献１】
特開平２００１−３２４６６号公報（第１−４頁、第１図、第３図）
【特許文献２】
特開平２００１−１２０３０号公報（第１−４頁、第１図、第２図）
【特許文献３】
特開平２００１−１２０３１号公報（第１−４頁、第１図、第２図）
【０００４】
上記先行技術の中で、特開平２００１−１２０３０号には、本願図４に示す構造の内継手が示されている。すなわち、本願図４において、上記公知の内継手３は、軒樋の前耳を係止する前耳係止部３１、軒樋の前面板に設けられた係合溝と係合する前面板係合部３２、軒樋の後耳に並設される溝と係合する後耳係合部３３の３点で軒樋を支持するとともに、前耳係止部３１と後耳係合部３３とは、接続片３４によって接続され、このように構成された内継手３が軒樋どうしを連結する。
【０００５】
【発明が解決しようとする課題】
上記図４においては、接続片３４が、内継手３全体を補強するため、しっかりとした構造となり、軒樋の前耳、後耳の位置決めを確実なものとしている。しかしながら、上記接続片３４が、軒下から軒樋内へ雨水が流下するのを妨げて、雨水の垂れ落ちの原因となり、また、構造も複雑となるため、成型する際に用いる金型の製造コストが高くなるという問題がある。本発明は、このような問題を解決して、簡単な構造で軒樋どうしをしっかりと連結し、雨水が漏れること防ぐとともに、雨水が軒樋の前面部から垂れ落ちることのない軒樋の連結構造を提供することをその課題とする。
【０００６】
【課題を解決するための手段】
本発明は、上記課題を解決するために、つぎのような技術的手段を講じている。すなわち、本発明によれば、軒樋の前耳部、前面板の内側に突出する凸条および後耳部を内継手により係止して軒樋を連結する構造であって、該内継手は、上記軒樋の前面板、底面板、後面板の内周面に弾接し上部を開放するとともに、上記前耳部を固定する前耳固定部、凸条と係合する凸条係合部および後耳部を係止する後耳係止部が設けられたことを特徴とする軒樋の連結構造が提供される。このように、３点で係止することによって、簡単な構造で軒樋どうしを連結し、雨水が漏れることを防ぐとともに、雨水が垂れ落ちて、軒樋の前面に水垢が付着することを防ぐ。
【０００７】
上記前面板の内側に突出する凸条を、この前面板の上部に張り出して設けられた水切り部の裏面とすることが好ましい。このようにすることにより、内継手の凸条係合部と係合させるための凸条を、別途、上記軒樋の内側に設ける必要はなく、上記水切り部の裏面が、内側では凸条を形成しているため、この凸条を係合手段の一部として有効に利用することができる。
【０００８】
上記内継手の前耳固定部に突出片が連設されることが好ましい。このようにすることにより、内継手を軒樋どうしの接合部に嵌合する際、この突出片を押さえれば、容易に軒樋の内周面に内接させることができる。また、取り外すときも、この突出片を押さえれば、容易に脱着することができる。
【０００９】
上記内継手が弾性を有する合成樹脂から構成されることが好ましい。例えば、硬質塩化ビニル樹脂、アクリル樹脂、ポリカーボネート樹脂等の成形品を内継手とすることにより、内継手が、軒樋の前耳固定部、軒樋の前面板の内側に突出する凸条との係合部および軒樋の後耳係止部の３点で軒樋を係止するとともに、内継手自身が弾性復帰力を有するため、上記軒樋の前面板、底面板、後面板の内周面に弾接し、しっかりと軒樋を連結することができる。
【００１０】
上記軒樋と内継手とが接着剤を介して、さらに接着されることが好ましい。このようにすることにより、上記した軒樋の連結構造により、軒樋どうしがしっかりと連結されるとともに、さらに、接着力が加わるため、確実に、水漏れなく軒樋を連結することができる。
【００１１】
【発明の実施の形態】
以下、本発明の好ましい実施の形態について、図面を参照して、さらに詳細に説明する。図１は、本発明の軒樋の連結構造にかかる内継手１を示す斜視図である。図２は、連結される軒樋２の端部を示す斜視図である。図１において、内継手１は弾性のある合成樹脂から構成されるとともに、軒樋２の前耳部２１を固定する前耳固定部１１、軒樋２の前面板２２の上部内側に突出する凸条２６１と係合する凸条係合部１２および軒樋後耳部２３を係止する後耳係止部１３が設けられ、上記前耳固定部１１には突出片１４が連設されている。また、図２によく示されているように、軒樋２の前面板２２の上部表側には、雨水の水切りを行うための水切り部２６が前方に張り出して設けられ、軒樋２の前面に水垢が付着することを防いでいる。本実施形態においては、この水切り部２６の裏面が、軒樋２の内側では凸条２６１を形成しているため、この凸条２６１と上記凸条係合部１２とを係合させる。
【００１２】
図３は、内継手１を軒樋２の内部に嵌合し、内接させた状態を示す側断面図である。すなわち、図２に示す軒樋２の端部どうしを突き合わせ、その接合部が略中央にくるように、突出片１４を押さえて内継手１を嵌込み、前耳固定部１１、凸条係合部１２、後耳係止部１３の３点で軒樋２を係止する。図１に示したように、内継手１は上部が開放されているため、突出片１４を押さえれば、容易に弾性変形して軒樋２の内部に嵌合することが可能であり、嵌合後は弾性復帰し、軒樋２の前面板２２、底面板２４、後面板２５の内周面にしっかりと内接する。このとき、軒樋２の前面板２２、底面板２４、後面板２５の内周面に接着剤を塗布しておけば、上記した軒樋の連結構造によって、軒樋どうしをしっかりと連結するとともに、さらに、接着力が加わるため、確実に、水漏れなく軒樋２を連結することができる。
【００１３】
【発明の効果】
以上述べたように、請求項１に記載の発明は、軒樋２の前耳部２１、前面板２２の内側に突出する凸条２６１および後耳部２３を内継手１により係止して軒樋２を連結する構造であって、該内継手１は、上記軒樋２の前面板２２、底面板２４、後面板２５の内周面に弾接し上部を開放するとともに、上記前耳部２１を固定する前耳固定部１１、凸条２６１と係合する凸条係合部１２および後耳部２３を係止する後耳係止部１３が設けられたことを特徴とする軒樋の連結構造である。このように３点で係止することによって、簡単な構造で軒樋２どうしを連結し、雨水が漏れることを防ぐとともに、雨水が垂れ落ちて、軒樋２の前面に水垢が付着することを防ぐ。
【００１４】
請求項２に記載の発明は、上記前面板２２の内側に突出する凸条２６１が、この前面板２２の上部に張り出して設けられた水切り部２６の裏面とされる。このようにすることにより、請求項１に記載の発明の効果に加えて、内継手１の凸条係合部１２と係合させるための凸条２６１を、別途、上記軒樋２の内側に設ける必要はなく、上記水切り部２６の裏面が、内側では凸条２６１を形成しているため、この凸条２６１を係合手段の一部として有効に利用することができる。
【００１５】
請求項３に記載の発明は、上記内継手１の前耳固定部１１に突出片１４が連設される。このようにすることにより、請求項１に記載の発明の効果に加えて、内継手１を軒樋２どうしの接合部に嵌合する際、この突出片１４を押さえれば、容易に軒樋２の内周面に内接させることができる。また、取り外すときも、この突出片１４を押さえれば、容易に脱着することができる。
【００１６】
請求項４に記載の発明は、上記内継手１が弾性を有する合成樹脂から構成される。例えば、硬質塩化ビニル樹脂、アクリル樹脂、ポリカーボネート樹脂等の成形品を内継手１とすることにより、内継手１が、軒樋２の前耳固定部１１、軒樋２の前面板２２の内側に突出する凸条２６１との係合部および軒樋２の後耳係止部１３の３点で軒樋２を係止するとともに、内継手１自身が弾性復帰力を有するため、請求項１に記載の発明の効果に加えて、上記軒樋２の前面板２２、底面板２４、後面板２５の内周面に弾接し、しっかりと軒樋２を連結することができる。
【００１７】
請求項５に記載の発明は、上記軒樋２と内継手１とが接着剤を介して、さらに接着される。このようにすることにより、請求項１に記載の発明の効果に加えて、上記した軒樋２の連結構造により、軒樋２どうしがしっかりと連結されるとともに、さらに、接着力が加わるため、確実に、水漏れなく軒樋２を連結することができる。
【図面の簡単な説明】
【図１】本発明の軒樋の連結構造にかかる内継手を示す斜視図である。
【図２】連結される軒樋の端部を示す斜視図である。
【図３】内継手を軒樋の内部に嵌合し、内接させた状態を示す側断面図である。
【図４】公知の内継手を示す斜視図である。
【符号の説明】
１          本発明の軒樋の連結構造にかかる内継手
１１        前耳固定部
１２        凸条係合部
１３        後耳係止部
１４        突出片
２          軒樋
２１        同上前耳部
２２        同上前面板
２３        同上後耳部
２４        同上底面板
２５        同上後面板
２６        水切り部
２６１      水切り部の裏面（前面板の内側に突出する凸条）
３          公知の内継手
３１        同上前耳係止部
３２        同上前面板係合部
３３        同上後耳係合部
３４        同上接続片
【図１】
2004316215.tif 000003
【図２】
2004316215.tif 000004
【図３】
2004316215.tif 000005
【図４】
2004316215.tif 000006